(57)【要約】【課題】残留電荷が無くなるのを待たずに装置を起動させることが可能な表示装置を提供する。【解決手段】この表示装置は、スタンバイ電源４と、リセットの解除を行うＨレベルおよびリセットを行うＬレベルのリセット信号を出力する第１リセット回路５と、Ｈレベルになることによりメイン電源８をオン状態にするＰ−ＯＮ信号を出力する制御・信号処理ＩＣ７と、Ｐ−ＯＮ信号がＨレベルになることに起因してオン状態となるメイン電源８と、Ｐ−ＯＮ信号がＨレベルであり、かつメイン電源８がオフ状態である場合において、第１リセット回路５から出力されるリセット信号を強制的にＬレベル側に変化させる第２リセット回路１０とを備える。【選択図】図２
2011182004.tif 000002
【特許請求の範囲】
【請求項１】
スタンバイ電源と、
リセットの解除を行う第１レベルおよびリセットを行う第２レベルのリセット信号を出力する第１リセット回路と、
オンレベルになることによりメイン電源をオン状態にするパワーオン信号を出力する制御部と、
前記パワーオン信号がオンレベルになることに起因してオン状態となるメイン電源と、
前記パワーオン信号がオンレベルであり、かつ前記メイン電源がオフ状態である場合において、前記第１リセット回路から出力される前記リセット信号を強制的に第２レベル側に変化させる第２リセット回路とを備える、表示装置。
【請求項２】
前記第２リセット回路は、前記パワーオン信号がオンレベルであり、かつ前記メイン電源がオフ状態である場合において、前記リセット信号を強制的に第２レベル側に変化させた後に、再び前記リセット信号が第１レベル側に変化するとともに前記パワーオン信号がオンレベルになった場合に、再び前記リセット信号を強制的に第２レベル側に変化させるように構成されている、請求項１に記載の表示装置。
【請求項３】
前記第２リセット回路は、前記パワーオン信号がオンレベルになり、かつ前記メイン電源がオン状態である場合に、前記リセット信号に影響を与えないように構成されている、請求項１または２に記載の表示装置。
【請求項４】
前記第２リセット回路は、前記パワーオン信号がオンレベルになることによりオン状態となる第１トランジスタと、
前記メイン電源がオン状態となることによりオン状態となる第２トランジスタと、
前記第１トランジスタがオン状態であり、かつ前記第２トランジスタがオフ状態である場合にオン状態となり、前記リセット信号の出力線に接続される第３トランジスタとを含み、
前記第３トランジスタがオン状態となることにより前記リセット信号を強制的に第２レベル側に変化させるように構成されている、請求項１〜３のいずれか１項に記載の表示装置。
【請求項５】
前記リセット信号は、第１レベルになるときにＨレベルになるとともに、第２レベルになるときにＬレベルになるように構成されており、
前記パワーオン信号は、オンレベルになるときにＨレベルになるように構成されており、
前記第３トランジスタの一方端子は前記リセット信号の出力線に接続されているとともに、前記第３トランジスタの他方端子は接地されており、前記第３トランジスタの制御端子は前記スタンバイ電源に接続されており、前記メイン電源がオフ状態であり、かつ前記パワーオン信号がＨレベルである状態において、オン状態の前記スタンバイ電源により、前記第３トランジスタがオン状態となり、前記リセット信号の出力線が接地されるように構成されている、請求項４に記載の表示装置。
【発明の詳細な説明】
【技術分野】
【０００１】
この発明は、表示装置に関し、特に、電源を備える表示装置に関する。
【背景技術】
【０００２】
従来、電源を備える表示装置が知られている（たとえば、特許文献１参照）。上記特許文献１に記載されたような従来の表示装置では、外部からの電力の供給が遮断された後、電源から供給される電力が徐々に小さくなるとともに、表示装置のマイコンなどが初期化（リセット）されるように構成されていると考えられる。
【先行技術文献】
【特許文献】
【０００３】
【特許文献１】特開２００６−１８９７１４号公報
【発明の概要】
【発明が解決しようとする課題】
【０００４】
しかしながら、上記したような従来の表示装置では、外部から電力が供給されていない状態において、表示装置に残留する残留電荷によりリセットが解除されてしまう場合がある。そして、リセットが解除された状態においては、残留電荷が全て放電されて再びリセットされた状態になるまで待たなければ、外部から電力を供給したとしても表示装置を起動することができないという問題点がある。
【０００５】
この発明は、上記のような課題を解決するためになされたものであり、この発明の１つの目的は、残留電荷が無くなるのを待たずに装置を起動させることが可能な表示装置を提供することである。
【課題を解決するための手段および発明の効果】
【０００６】
この発明の一の局面による表示装置は、スタンバイ電源と、リセットの解除を行う第１レベルおよびリセットを行う第２レベルのリセット信号を出力する第１リセット回路と、オンレベルになることによりメイン電源をオン状態にするパワーオン信号を出力する制御部と、パワーオン信号がオンレベルになることに起因してオン状態となるメイン電源と、パワーオン信号がオンレベルであり、かつメイン電源がオフ状態である場合において、第１リセット回路から出力されるリセット信号を強制的に第２レベル側に変化させる第２リセット回路とを備える。
【０００７】
この一の局面による表示装置では、たとえば外部から電力が供給されていないにもかかわらず残留電荷によりスタンバイ電源がオン状態となり、第１リセット回路によりリセットが解除され、パワーオン信号がオンレベルになり、かつメイン電源がオフ状態である異常時において、第１リセット回路から出力されるリセット信号を強制的に第２レベル側に変化させる第２リセット回路を設けることによって、第２リセット回路により強制的にリセットを行うことができるので、リセットが解除されるとともに再びパワーオン信号がオンレベルになる際に外部から電力を供給することによりメイン電源がオン状態となる。これにより、残留電荷が無くなるのを待たずに装置を起動させることができる。
【０００８】
上記一の局面による表示装置において、好ましくは、第２リセット回路は、パワーオン信号がオンレベルであり、かつメイン電源がオフ状態である場合において、リセット信号を強制的に第２レベル側に変化させた後に、再びリセット信号が第１レベル側に変化するとともにパワーオン信号がオンレベルになった場合に、再びリセット信号を強制的に第２レベル側に変化させるように構成されている。このように構成すれば、異常が起こった場合において、第２リセット回路による強制的なリセットが１回しか行われない場合と異なり、第２リセット回路により強制的なリセットが繰り返し行われるので、表示装置に残留する残留電荷を早く消費することができる。
【０００９】
上記一の局面による表示装置において、好ましくは、第２リセット回路は、パワーオン信号がオンレベルになり、かつメイン電源がオン状態である場合に、リセット信号に影響を与えないように構成されている。このように構成すれば、異常が起こった場合に、装置が正常に起動した後には、第２リセット回路が不要な強制的なリセットを行わないようにすることができる。
【００１０】
上記一の局面による表示装置において、好ましくは、第２リセット回路は、パワーオン信号がオンレベルになることによりオン状態となる第１トランジスタと、メイン電源がオン状態となることによりオン状態となる第２トランジスタと、第１トランジスタがオン状態であり、かつ第２トランジスタがオフ状態である場合にオン状態となり、リセット信号の出力線に接続される第３トランジスタとを含み、第３トランジスタがオン状態となることによりリセット信号を強制的に第２レベル側に変化させるように構成されている。このように構成すれば、異常が起こった場合において、第３トランジスタによって強制的なリセットを容易に行うことができるので、残留電荷が無くなるのを待たずに、容易に装置を起動させることができる。
【００１１】
この場合、好ましくは、リセット信号は、第１レベルになるときにＨレベルになるとともに、第２レベルになるときにＬレベルになるように構成されており、パワーオン信号は、オンレベルになるときにＨレベルになるように構成されており、第３トランジスタの一方端子はリセット信号の出力線に接続されているとともに、第３トランジスタの他方端子は接地されており、第３トランジスタの制御端子はスタンバイ電源に接続されており、メイン電源がオフ状態であり、かつパワーオン信号がＨレベルである状態において、オン状態のスタンバイ電源により、第３トランジスタがオン状態となり、リセット信号の出力線が接地されるように構成されている。このように構成すれば、オン状態の第３トランジスタによりリセット信号の出力線が接地されるので、リセット信号を容易にＬレベル側に変化させることができる。
【図面の簡単な説明】
【００１２】
【図１】本発明の一実施形態による表示装置と、外部機器および片切りＡＣタップとの接続状態を示した図である。
【図２】本発明の一実施形態による表示装置の全体構成を示したブロック図である。
【図３】本発明の一実施形態による表示装置の第２リセット回路の回路図である。
【図４】本発明の一実施形態による表示装置における異常時の動作を示すタイミングチャートである。
【図５】比較例による表示装置における異常時の動作を示すタイミングチャートである。
【図６】図４に示した第２リセット回路が作動している間に片切りＡＣタップのスイッチを入れた場合の動作を示すタイミングチャートである。
【発明を実施するための形態】
【００１３】
以下、本発明を具体化した実施形態を図面に基づいて説明する。
【００１４】
まず、図１〜図３を参照して、本発明の一実施形態によるテレビジョン装置１００の構成について説明する。なお、本実施形態では、本発明の表示装置の一例としてのテレビジョン装置に本発明を適用した例について説明する。
【００１５】
本実施形態によるテレビジョン装置１００は、図１に示すように、ＤＶＤ機器などの外部機器２００と、片切りＡＣタップ３００とに接続されている。また、テレビジョン装置１００は、接続線５００を介して外部機器２００に接続されている。外部機器２００および片切りＡＣタップ３００は、それぞれ交流電源４００および４０１に接続されている。
【００１６】
片切りＡＣタップ３００には、図１に示すように、スイッチ３０１が１つ設けられている。また、片切りＡＣタップ３００は、スイッチ３０１を入れた場合において、交流電源４０１から電力をテレビジョン装置１００に供給するように構成されている。
【００１７】
本実施形態によるテレビジョン装置１００には、図２に示すように、プラグ１と、１次電源２と、ＡＣ検出回路３と、スタンバイ電源４と、第１リセット回路５と、制御・信号処理用電源６と、制御・信号処理ＩＣ７と、メイン電源８と、表示部９と、第２リセット回路１０とが設けられている。なお、制御・信号処理ＩＣ７は、本発明の「制御部」の一例である。テレビジョン装置１００は、プラグ１を片切りＡＣタップ３００のコンセントに差し込むことにより、電力が供給されるように構成されている。
【００１８】
図２に示すように、１次電源２は、プラグ１、ＡＣ検出回路３、スタンバイ電源４およびメイン電源８に接続されている。また、１次電源２は、プラグ１および片切りＡＣタップ３００（図１参照）を介して交流電源４０１（図１参照）から供給された電力を、ＡＣ検出回路３、スタンバイ電源４およびメイン電源８に供給するように構成されている。
【００１９】
ＡＣ検出回路３は、１次電源２およびスタンバイ電源４に接続されている。また、ＡＣ検出回路３は、テレビジョン装置１００に交流電圧が供給されていることを検出した場合、スタンバイ電源４をオン状態にさせるための信号をスタンバイ電源４に出力するように構成されている。
【００２０】
スタンバイ電源４は、１次電源２、ＡＣ検出回路３、第１リセット回路５、制御・信号処理ＩＣ７および第２リセット回路１０に接続されている。また、スタンバイ電源４は、１次電源２から電力が供給されるように構成されている。また、スタンバイ電源４は、ＡＣ検出回路３から信号が伝達された場合にオン状態となるように構成されている。
【００２１】
第１リセット回路５は、スタンバイ電源４および制御・信号処理ＩＣ７に接続されている。また、第１リセット回路５は、スタンバイ電源４がオフ状態のときに後述のＰ−ＯＮ信号などのリセットを行うように構成されている。また、第１リセット回路５は、スタンバイ電源４がオン状態のときにリセットの解除を行うように構成されている。具体的には、第１リセット回路５は、リセットの解除を行う際にＨレベルのリセット信号を出力するように構成されている。また、第１リセット回路５は、リセットを行う際にＬレベルのリセット信号を出力するように構成されている。また、リセット信号は、出力線５１を介して、第１リセット回路５から制御・信号処理ＩＣ７の後述するスタンバイブロック７２に伝達されるように構成されている。
【００２２】
制御・信号処理ＩＣ７は、メインブロック７１とスタンバイブロック７２とから構成されている。メインブロック７１は、制御・信号処理用電源６および表示部９に接続されている。また、メインブロック７１は、表示部９に表示する映像の処理などを制御するように構成されている。
【００２３】
スタンバイブロック７２は、第１リセット回路５、メイン電源８および第２リセット回路１０に接続されている。また、スタンバイブロック７２は、Ｐ−ＯＮ信号を出力するように構成されている。なお、Ｐ−ＯＮ信号は、本発明の「パワーオン信号」の一例である。Ｐ−ＯＮ信号は、リセットの解除が行われると一定時間オンレベルになるように構成されている。また、Ｐ−ＯＮ信号７３は、オンレベルになって一定時間が経過した後、または、リセットが行われた場合にオフレベルになるように構成されている。具体的には、Ｐ−ＯＮ信号は、リセット信号がＨレベル側に引っ張られた場合に一定時間Ｈレベルになり、Ｈレベルになって一定時間が経過した後またはリセット信号がＬレベル側に引っ張られた場合にＬレベルになるように構成されている。また、Ｐ−ＯＮ信号は、スタンバイブロック７２からメイン電源８および第２リセット回路１０に伝達されるように構成されている。
【００２４】
メイン電源８は、１次電源２、スタンバイブロック７２、制御・信号処理用電源６および第２リセット回路１０に接続されている。また、メイン電源８は、１次電源２から電力が供給されるように構成されている。また、メイン電源８は、Ｐ−ＯＮ信号がオンレベルであり、かつ外部から電力が供給されることに起因してオン状態となるように構成されている。具体的には、メイン電源８は、Ｐ−ＯＮ信号がＨレベルであり、かつ交流電源４０１（図１参照）から電力が供給される場合にのみオン状態となるように構成されている。
【００２５】
ここで、本実施形態では、第２リセット回路１０は、メイン電源８、スタンバイブロック７２、出力線５１およびスタンバイ電源４に接続されている。また、第２リセット回路１０は、Ｐ−ＯＮ信号がオンレベルであり、かつ前記メイン電源８がオフ状態である場合において強制的なリセットを行うように構成されている。具体的には、第２リセット回路１０は、Ｐ−ＯＮ信号がＨレベルであり、かつメイン電源８がオフ状態である場合においてリセット信号をＬレベル側に引っ張るように構成されている。
【００２６】
また、第２リセット回路１０には、図３に示すように、４つのバイポーラトランジスタからなるトランジスタ２１、２２、２３および２４が設けられている。トランジスタ２１は、本発明の「第１トランジスタ」の一例であり、トランジスタ２２は、本発明の「第２トランジスタ」の一例である。また、トランジスタ２３は、本発明の「第３トランジスタ」の一例である。
【００２７】
トランジスタ２１のベースには、抵抗Ｒ１を介してＰ−ＯＮ信号が入力される。また、トランジスタ２１のコレクタは、抵抗Ｒ２を介してスタンバイ電源４に接続されている。また、トランジスタ２１のエミッタは接地されている。トランジスタ２１は、Ｐ−ＯＮ信号がＨレベルになるとオン状態となる。
【００２８】
トランジスタ２２のベースは、抵抗Ｒ３を介してメイン電源８に接続されている。また、トランジスタ２２のコレクタは、抵抗Ｒ４を介してスタンバイ電源４に接続されている。また、トランジスタ２２のエミッタは接地されている。トランジスタ２２は、メイン電源８がオン状態となるとオン状態となる。
【００２９】
トランジスタ２３のベースは、抵抗Ｒ４および抵抗Ｒ５を介してスタンバイ電源４に接続されている。また、トランジスタ２３のコレクタは、抵抗Ｒ６を介して出力線５１に接続されている。また、トランジスタ２３のエミッタは接地されている。トランジスタ２３は、トランジスタ２１がオン状態であり、かつトランジスタ２２がオフ状態である場合にオン状態となる。トランジスタ２３がオン状態になると、出力線５１が接地される。つまり、トランジスタ２３がオン状態になると、出力線５１において伝達されているリセット信号がＬレベル側に引っ張られる。また、トランジスタ２３のベースは、両極性電解コンデンサＣ１の一方電極に接続されている。両極性電解コンデンサＣ１の他方電極は、接地されている。
【００３０】
トランジスタ２４のベースは、図３に示すように、抵抗Ｒ２および抵抗Ｒ７を介してスタンバイ電源４と接続されている。また、トランジスタ２４のコレクタは、抵抗Ｒ４および抵抗Ｒ７を介してスタンバイ電源４と接続されている。また、トランジスタ２４のエミッタは接地されている。また、トランジスタ２４のベースは、両極性電解コンデンサＣ２の一方電極に接続されている。両極性電解コンデンサＣ２の他方電極は、接地されている。
【００３１】
次に、図１〜図４を参照して、異常時におけるテレビジョン装置１００の動作について説明する。異常時とは、図４に示すように、片切りＡＣタップ３００のスイッチ３０１（図１参照）を切り、スタンバイ電源４が一旦オフ状態となったにもかかわらず、残留電荷によりスタンバイ電源４がオン状態となる場合である。
【００３２】
まず、図４を参照して、異常時においてスタンバイ電源４がオン状態となる原因について説明する。
【００３３】
図４の時間Ａにおいて、片切りＡＣタップ３００のスイッチ３０１を切ると、テレビジョン装置１００を駆動させるために必要な電力が交流電源４０１から供給されなくなるため、スタンバイ電源４はオフ状態となる。しかし、片切りＡＣタップ３００は、スイッチ３０１が１つしか設けられていないため、スイッチ３０１を切っても、交流電源４０１から供給される電力を完全には遮断しない。つまり、片切りＡＣタップ３００のスイッチ３０１を切った場合において、交流電源４０１からテレビジョン装置１００への電力の供給が全く無くなるわけではない。一方、テレビジョン装置１００と接続されている外部機器２００には、片切りＡＣタップ３００を介さずに、交流電源４０１とは別個の交流電源４００から電力が供給されている。したがって、片切りＡＣタップ３００のスイッチ３０１を切った場合において、テレビジョン装置１００と外部機器２００との接続線５００の両端の電位を比べると、外部機器２００側の一端であるＢ点の電位が、テレビジョン装置１００側の一端であるＡ点の電位よりも高くなる。Ａ点とＢ点に電位差が生じることにより、接続線５００を介して外部機器２００側からテレビジョン装置１００側へと電力が供給される。そして、外部機器２００側からテレビジョン装置１００側に供給される電力をＡＣ検出回路３（図２参照）が検出し、スタンバイ電源４をオン状態にさせるための信号を出力する。その結果、片切りＡＣタップ３００のスイッチ３０１を切ることによって一旦オフ状態となったスタンバイ電源４がオン状態となる。なお、スタンバイ電源４は、片切りＡＣタップ３００のスイッチ３０１を切った後においてテレビジョン装置１００内に残留している残留電荷によって駆動する。
【００３４】
そして、時間Ｂにおいてスタンバイ電源４がオン状態となると、第１リセット回路（図２参照）が作動することにより、リセット信号がＨレベルになる。また、リセット信号がＨレベルに引っ張られると、Ｐ−ＯＮ信号が一定時間Ｈレベルになる。しかし、Ｐ−ＯＮ信号がＨレベルであっても、片切りＡＣタップ３００（図１参照）のスイッチ３０１を切っているため、メイン電源８は、オン状態となるために必要な電力を交流電源４０１から供給されていない。よって、異常時において、メイン電源８はオフ状態のままである。
【００３５】
ここで、本実施形態によるテレビジョン装置１００では、第２リセット回路１０（図３参照）が作動する。第２リセット回路１０は、時間Ｃにおいて、Ｐ−ＯＮ信号がＬレベルであり、かつメイン電源８がオフ状態である場合に、Ｈレベルにあるリセット信号をＬレベル側に引っ張る。そして、リセット信号がＬレベル側に引っ張られると、Ｐ−ＯＮ信号がＬレベルになる。また、時間Ｄにおいて、第２リセット回路１０は、Ｐ−ＯＮ信号がＬレベルであり、かつメイン電源８がオフ状態である場合に、リセット信号を引っ張るのを停止する。すると、第１リセット回路（図２参照）により、リセット信号は再びＨレベル側に引っ張られる。その結果、Ｐ−ＯＮ信号もＨレベルになる。以下、残留電荷が放電されてスタンバイ電源４がオフ状態になるまで、リセット信号はＨレベル側に引っ張られる状態とＬレベル側に引っ張られる状態とを繰り返し、Ｐ−ＯＮ信号はＨレベルになる状態とＬレベルになる状態とを繰り返す。
【００３６】
次に、図５を参照して、比較例によるテレビジョン装置の、異常時における動作について説明する。なお、比較例による表示装置は、本実施形態の第２リセット回路１０（図３参照）に相当する回路が設けられていない。
【００３７】
比較例によるテレビジョン装置には、テレビジョン装置１００における第２リセット回路１０（図３参照）に相当する回路が設けられていないため、図５に示すように、時間Ｅにおいて、異常時にスタンバイ電源がオン状態となり、リセット信号がＨレベルになった後、スタンバイ電源はオン状態のままであるとともに、リセット信号はＨレベルのままである。このとき、仮に片切りＡＣタップ（図１参照）のスイッチ３０１を入れたとしても、リセット信号がＨレベルのまま変化しないため、Ｐ−ＯＮ信号がＨレベルにならず、メイン電源はオン状態となることはない。
【００３８】
一方、本実施形態によるテレビジョン装置１００では、図６に示すように、時間Ｃにおいて、第２リセット回路１０（図３参照）が作動すると、時間Ｃ以降はリセット信号５１がＨレベル側とＬレベル側との間を振動するように変化する。Ｐ−ＯＮ信号７３も、リセット信号５１の変化に伴い、ＨレベルとＬレベルとの間を振動するように変化する。そして、時間Ｆにおいて、リセット信号がＬレベル側からＨレベル側へと変化する最中に、片切りＡＣタップ３００（図１参照）のスイッチ３０１を入れると、比較例の場合と異なり、Ｐ−ＯＮ信号がＨレベルであるため、メイン電源８がオン状態となる。これにより、テレビジョン装置１００が起動される。
【００３９】
本実施形態では、上記のように、スタンバイ電源４と、リセットの解除を行うＨレベルおよびリセットを行うＬレベルのリセット信号を出力する第１リセット回路５と、Ｈレベルになることによりメイン電源８をオン状態にするＰ−ＯＮ信号を出力する制御・信号処理ＩＣ７と、Ｐ−ＯＮ信号がＨレベルになることに起因してオン状態となるメイン電源８と、Ｐ−ＯＮ信号がＨレベルであり、かつメイン電源８がオフ状態である場合において、第１リセット回路５から出力されるリセット信号を強制的にＬレベル側に変化させる第２リセット回路１０とを設けている。これにより、たとえば外部から電力が供給されていないにもかかわらず残留電荷によりスタンバイ電源４がオン状態となり、第１リセット回路５によりリセットが解除され、Ｐ−ＯＮ信号がＨレベルになり、かつメイン電源８がオフ状態である異常時において、第２リセット回路１０により強制的にリセットを行うことができるので、リセットが解除されるとともに再びＰ−ＯＮ信号がＨレベルになる際に交流電源４０１から電力を供給することによりメイン電源８がオン状態となる。これにより、残留電荷が無くなるのを待たずに装置を正常に起動させることができる。
【００４０】
また、本実施形態では、上記のように、第２リセット回路１０を、Ｐ−ＯＮ信号がＨレベルであり、かつメイン電源８がオフ状態である場合において、リセット信号を強制的にＬレベル側に変化させた後に、再びリセット信号がＨレベル側に変化するとともにＰ−ＯＮ信号がＨレベルになった場合に、再びリセット信号を強制的にＬレベル側に変化させるように構成している。これにより、異常が起こった場合において、第２リセット回路１０による強制的なリセットが１回しか行われない場合と異なり、第２リセット回路１０により強制的なリセットが繰り返し行われるので、残留電荷を早く消費することができる。
【００４１】
また、本実施形態では、上記のように、第２リセット回路１０を、Ｐ−ＯＮ信号がＨレベルになり、かつメイン電源８がオン状態である場合に、リセット信号に影響を与えないように構成している。これにより、異常が起こった場合に、装置が正常に起動した後には、第２リセット回路１０が不要な強制的なリセットを行わないようにすることができる。
【００４２】
また、本実施形態では、上記のように、第２リセット回路１０に、Ｐ−ＯＮ信号がＨレベルになることによりオン状態となるトランジスタ２１と、メイン電源８がオン状態となることによりオン状態となるトランジスタ２２と、トランジスタ２１がオン状態であり、かつトランジスタ２２がオフ状態である場合にオン状態となり、リセット信号の出力線５１に接続されるトランジスタ２３とを設け、トランジスタ２３がオン状態となることによりリセット信号を強制的にＬレベル側に変化させるように構成している。このように構成すれば、異常が起こった場合において、トランジスタ２３によって強制的なリセットを容易に行うことができるので、残留電荷が無くなるのを待たずに、容易に装置を正常に起動させることができる。
【００４３】
また、本実施形態では、上記のように、リセット信号を、リセットの解除を行うときにＨレベルになるとともに、リセットを行うときにＬレベルになるように構成し、Ｐ−ＯＮ信号を、オンレベルになるときにＨレベルになるように構成し、トランジスタ２３のコレクタをリセット信号の出力線５１に接続するとともに、トランジスタ２３のエミッタを接地し、トランジスタ２３のベースをスタンバイ電源４に接続し、メイン電源８がオフ状態であり、かつＰ−ＯＮ信号がＨレベルである状態において、オン状態のスタンバイ電源４により、トランジスタ２３がオン状態となり、リセット信号の出力線５１を接地するように構成している。これにより、オン状態のトランジスタ２３によりリセット信号の出力線５１が接地されるので、リセット信号を容易にＬレベル側に変化させることができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、第２リセット回路に４つのトランジスタを設ける例を示したが、本発明はこれに限らない。本発明では、第２リセット回路に３つ以下のトランジスタを設けてもよいし、５つ以上のトランジスタを設けてもよい。
【００４６】
また、上記実施形態では、第２リセット回路にバイポーラトランジスタからなるトランジスタを設ける例を示したが、本発明はこれに限らない。本発明では、バイポーラトランジスタ以外のたとえばＭＯＳトランジスタを用いて第２リセット回路を構成してもよい。
【００４７】
また、上記実施形態では、テレビジョン装置に本発明を適用したが、本発明は、テレビジョン装置以外のＰＣ用モニタなどの表示装置にも適用可能である。
【符号の説明】
【００４８】
４  スタンバイ電源
５  第１リセット回路
７  制御・信号処理ＩＣ（制御部）
８  メイン電源
１０  第２リセット回路
２１  トランジスタ（第１トランジスタ）
２２  トランジスタ（第２トランジスタ）
２３  トランジスタ（第３トランジスタ）
１００  テレビジョン装置（表示装置）
【図１】
2011182004.tif 000003
【図２】
2011182004.tif 000004
【図３】
2011182004.tif 000005
【図４】
2011182004.tif 000006
【図５】
2011182004.tif 000007
【図６】
2011182004.tif 000008